(57)【要約】【課題】  ブロック体の整流器および流量センサを組み込むための直線状の流路の長さを短くし、全体形状の小型化を図った流量制御装置を提供する。【解決手段】  流体の導入口および導出口を有する流路と、この流路の内部に収容されて前記流体を整流する整流器と、前記流路を通流する流体の流量を検出する流量センサとを具備し、入口部から出口部へと連通する連通孔を備えた筒型の整流器を、その出口部の周囲にて前記流路の導入口側と導出口側とを隔離して設け、またこの整流器から上流側の流路に、該流路の内面と前記整流器の外周面との間に空間部を形成し、前記整流器の側部に設けられた前記導入口から導入された流体を上記空間部を介して前記整流器の入口部に導くようにした。【選択図】      図２
2005024510.tif 000002
【特許請求の範囲】
【請求項１】
流体の導入口および導出口を有する流路と、この流路の内部に収容されて前記流体を整流する整流器と、前記流路を通流する流体の流量を検出する流量センサとを具備した流量検出装置において、
前記整流器は、その入口部から出口部へと連通する連通孔を備えた筒型のものからなり、その出口部の周囲にて前記流路の導入口と導出口とを隔離して設けられ、
前記流路は、その内面と前記整流器の外周面との間に形成された空間部を有しており、この空間部は前記導入口から導入された流体を前記整流器の入口部に導くものであることを特徴とする流量検出装置。
【請求項２】
前記筒形の整流器は、該整流器における入口部の端部とこの入口部の端部に対峙する前記流路の内面との間に所定の隙間を形成するリング状のスペーサと、このスペーサに重ね合わされて該整流器を前記流路の下流側に向けて押圧するリング状のばね体とを介して前記流路内に組み付けられるものである請求項１に記載の流量検出装置。
【請求項３】
前記筒形の整流器は、該整流器における入口部の端部とこの入口部の端部に対峙する前記流路の内面との間に所定の隙間を形成すると共に、該整流器を前記流路の下流側に向けて押圧する波板状のコイルばねを介して前記流路内に組み付けられるものである請求項１に記載の流量検出装置。
【請求項４】
請求項１〜３のいずれかに記載の流量検出装置における前記流路の導出口側に流量調整弁を備えたことを特徴とする流量制御装置。
【発明の詳細な説明】
【技術分野】
【０００１】
本発明は、筒状の整流器の流路方向に対して直行する向きから流体を導入する場合であっても、その全体形状のコンパクト化を図ることのできる流量検出装置および流量制御装置に関する。
【背景技術】
【０００２】
例えば半導体の製造工程においては各種のガスが用いられる。この種のガスの供給量を制御するべく、一般的にはガスの供給流路（ガス配管）に流量検出装置や流量制御装置を介挿し、その流量を調節することが行われる。ちなみに流量検出装置は、基本的にはガス配管に介挿される流路を形成したブロック体と、このブロック体に組み付けられて上記流路を通流するガス（流体）の流量を検出する流量センサとを備えて構成される（例えば特許文献１を参照）。また流量制御装置は更に前記ブロック体に前記ガス（流体）の流量を調節する流量調整弁を設けた構造を有する（例えば特許文献２を参照）。
【０００３】
また前記ブロック体が形成した流路の流体導入口側（流路の上流側）には、流量センサの上流に位置して、通常、その流路に導入されるガス（流体）の流れの乱れを防止するための整流器が設けられる。
【特許文献１】特開平１１−１３２８１３号公報
【特許文献２】特開２０００−８１９１４号公報
【発明の開示】
【発明が解決しようとする課題】
【０００４】
ところでこの種の流量検出装置や流量制御装置における流体導入口である配管との継手部は、例えば特許文献１,２にそれぞれ示されるように、通常、整流器および流量センサがそれぞれ組み込まれる直線状の流路を形成したブロック体の端部に、該流路と同軸に設けられている。この為、継手部を含む直線状の流路長が長くなることが否めず、ブロック体の大型化の原因となっている。
【０００５】
そこで整流器および流量センサを組み込んだ直線状の流路の端部に、その流路方向（流体導入口の向き）を直角に曲げるアタッチメントを取り付けることで、継手部を形成するに必要な長さの分だけ直線状の流路長を短くし、これによってブロック体の小型化を図ることが考えられる。しかしながらこのようなアタッチメントを用いたとしても、アタッチメントを含むブロック体の全体形状が大型となることが否めない。
【０００６】
本発明はこのような事情を考慮してなされたもので、その目的は、整流器および流量センサを組み込むための直線状の流路を形成するブロック体における直線状の流路部の長さを十分に短くし、これによって全体形状の小型化を図った流量検出装置や流量制御装置を提供することにある。
【課題を解決するための手段】
【０００７】
上述した目的を達成するべく本発明に係る流量検出装置は、流体の導入口および導出口を有する流路と、この流路の内部に収容されて前記流体を整流する整流器と、前記流路を通流する流体の流量を検出する流量センサとを具備した流量検出装置において、
入口部から出口部へと連通する連通孔を備えた筒型の整流器を、その出口部の周囲にて前記流路の導入口側と導出口側とを隔離して設け、またこの整流器から上流側の流路に、該流路の内面と前記整流器の外周面との間に形成された空間部を設け、この空間部を介して前記導入口から導入された流体を前記整流器の入口部に導くようにしたことを特徴としている。
【０００８】
即ち、本発明に係る流量検出装置は、筒状の整流器の外周面と該整流器よりも上流側の流路の内面との間に、前記整流器の側方に設けられた前記流路の導入口に連通する空間部を形成し、この空間部を介して前記導入口から導入された流体を前記整流器の入口部に導くようにしたことを特徴としている。
ちなみに前記筒形の整流器の前記流路内への組み付けは、例えば該整流器の入口部の端部とこの入口部の端部に対峙する前記流路の内面との間に所定の隙間を形成するリング状のスペーサと、このスペーサに重ね合わされて該整流器を前記流路の下流側に向けて押圧するリング状のばね体とを用いて整流器を押し付けながら組み付けるようにすれば良い。具体的には、例えば前記整流器の収納部を閉塞し、該整流器の入口部の端部に対峙して前記流路の内面を形成する蓋体にて、前記スペーサとばね体を介して前記整流器を押さえ付けながら上記収納部の開口部を閉塞するようにすれば良い。
【０００９】
或いは前記筒形の整流器の前記整流器収納部への組み付けを、該整流器の入口部の端部とこの入口部の端部に対峙する前記流路の内面との間に所定の隙間を形成すると共に、該整流器を前記流路の下流側に向けて押圧する波板状のコイルばねを用いて整流器を押し付けながら組み付けるようにすれば良い。具体的には、例えば前記整流器の収納部を閉塞し、該整流器の入口部の端部に対峙して前記流路の内面を形成する蓋体にて、前記コイルばねを介して前記整流器を押さえ付けながら上記収納部の開口部を閉塞するようにすれば良い。
【００１０】
また本発明に係る流体制御装置は、上述した構造の流量検出装置における前記流路の流体導出口側に流量調整弁を設けたことを特徴としている。
【発明の効果】
【００１１】
本発明によれば、整流器の側方から流体を導入する場合であっても、上記整流器および流量センサがそれぞれ組み込まれる直線状の流路長を短くすることができるので、流量検出装置や流量制御装置の全体形状を効果的にコンパクト化することができる等の実用上多大なる効果が奏せられる。
【発明を実施するための最良の形態】
【００１２】
以下、図面を参照して本発明に係る流量制御装置について説明する。
尚、流量検出装置については、実質的には以下に説明する流量制御装置から流量調節弁機構を除いたものとして実現すれば良いので、ここでは流量制御装置を例に、本発明に係る流量検出装置および流量制御装置の特徴的な流路構造について説明する。
図１はこの実施形態に係る流量制御装置の概略構成を示す分解斜視図で、図２(ａ)〜(ｃ)はそれぞれその要部断面構造を示す図である。この流量制御装置は、所定の流路を形成したブロック体１０と、このブロック体１０に形成された流路１１の上流側（流体流入側）に組み付けられる円筒状の整流器１２と、上記流路１１の略中間位置に組み付けられる流量センサ１３と、前記流路の下流側（流体流出口側）に組み付けられる流量調整弁機構１４とを備える。
【００１３】
尚、流量センサ１３としては、例えば特開平４−２３０８０８号公報に開示された熱式の気体流速センサ（質量流量センサ）を用いる。ちなみに流路断面積が不変であれば流速と流量とは比例関係にあるので、上記流速センサをそのまま流量センサとして用いることができる。或いは特開平６−３４１８８０号公報に示されるようなセンサ管方式の流量センサを用いることもできる。また流量調整弁機構１４は、図２に示すようにソレノイド１４ａと、このソレノイド１４ａによって進退駆動される流量調整弁１４ｂとを備えたものからなる。
【００１４】
上記ブロック体１０は略直方体形状を有し、その長手方向の一端部から中心部に向けて直線状の第１の流路１１ａを形成している。そしてこの第１の流路１１ａの開口端側に整流器１２を同軸に装着した後、その開口端を蓋体１５にて閉塞する構造となっている。尚、この円筒状の整流器１２が組み込まれる部位（整流器収納部）は、図２(ａ),(ｃ)にそれぞれ示すように該整流器１２の外径よりも大きい内径を有する穴部からなり、整流器１２の外周との間に所定の空間Ａを形成するものとなっている。
【００１５】
また第１の流路１１ａに連なる流体制御装置の流体導入口１６は、図２(ａ)に示すように前記空間との連通部（流路）を形成して前記ブロック体１０の下面（第１の面）１０ａ側に向けて開口されている。そしてこの流体導入口１６から導入される流体は、一旦、前記円筒状の整流器１２の外周面に形成された空間Ａに導入された後、この空間Ａから該整流器１２と前記蓋体１５との間に形成される後述する所定の隙間を介して整流器１２の内部へと導かれる。そして上記流体はこの整流器１２を介して整流された後、第１の流路１１ａ内へと導かれるようになっている。この整流器１２周りの流路構造については、後に詳述する。
【００１６】
一方、前記ブロック体１０の前面（第２の面）１０ｂには、前記第１の流路１１ａに連なる透孔１０ｃが形成されている。この透孔１０ｃは、第１の流路１１ａに位置付けて流量センサ１３を取り付けるためのものであって、予め流量センサ１３を装着したセンサブラケット１３ａが図２(ｃ)に示すように前記ブロック体１０の外側から上記透孔１０ｃを気密に閉塞して組み付けられるようになっている。このようにして第１の流路１１ａに組み付けられた流量センサ１３によって、前述した整流器１２により整流された流体の流量が計測される。
【００１７】
これに対して前記ブロック体１０の上面（第３の面）１０ｄには、流量センサ１３の下流側に位置して前述した流量調整弁機構１４が取り付けられるようになっている。即ち、前記ブロック体１０には、前述したようにその長手方向に形成された第１の流路１１ａの端部から該ブロック体１０の上面１０ｄに向けて略直角に折り曲げた第２の流路１１ｂが形成されており、この第２の流路１１ｂの端部はブロック体１０の上面１０ｄに開口されている。
【００１８】
またこの第２の流路１１ｂの側部には、該第２の流路１１ｂとその軸心位置をブロック体１０の背面側（第２の面側）にずらして、且つ該第２の流路１１ｂと平行に第３の流路１１ｃが形成されている。特にこの第３の流路１１ｃは、ブロック体１０の上面（第３の面）１０ｄからその下面（第１の面）１０ａに向けて該ブロック体１０を貫通して設けられている。そしてブロック体１０の下面（第１の面）１０ａに開口された第３の流路１１ｃの端部は、流量制御装置の流体導出口１７として設定されている。
【００１９】
このような第２の流路１１ｂの開口部（流体出口部）と第３の流路１１ｃの開口部（流体入口部）とを並べて設けたブロック体１０の上面（第３の面）１０ｄに、これらの開口部を連通させる流路を形成し、且つその流路の開口面積を調整する流量調整弁１４ｂを設けた流量調整弁機構１４が取り付けられる。特にこの例においては、上記流量調整弁１４ｂは第３の流路１１ｃの開口部（流体入口部）を閉塞するように設けられており、ソレノイド１４ａによってその弁開度が調整されるようになっている。そして前述した第１の流路１１ａから第２の流路１１ｂを介して流量調整弁機構１４に導かれた流体は、流量調整弁１４ｂを介して流量調整された後、第３の流路１１ｃを介して流体導出口１７から導出されるようになっている。尚、上述した説明において上面・下面等の用語を用いたが、その向きは図を説明する上での便宜上のものであり、流量検出装置や流量制御装置を実際に使用する際の重力方向に対する取り付け姿勢には直接関係しない。
【００２０】
ここで前述した整流器１２が設けられる部位の流路構造について詳しく説明すると、前述した第１の流路１１ａは図３にその断面構造を示すように前記ブロック体１０の長手方向の一端部から中心部に向けて開口された直線状の穴として形成されている。特に第１の流路１１ａの開口端側は、前述した円筒状の整流器１２の収納部として該整流器１２の外径よりも大きな内径をなす大径の穴部（整流器収納部）として形成されている。そしてこの整流器１２の収納部をなす大径の穴部の壁面からブロック体１０の底面１０ａに向けて流路をなす貫通孔が形成され、その端部が配管（図示せず）を連結するための流体導入口１６として設定されている。
【００２１】
このような整流器収納部に収納される円筒状の整流器１２は、例えば図４に示すように所定の長さ（厚み）を有する複数の円筒状のスペーサ１２ａと、整流体としての複数枚の金網１２ｂとを交互に積層一体化したもので、その内部に流体を通流して、その流れの乱れをなくす役割を担う。尚、整流体として金網以外にハニカム構造体や多孔質体等を用いることも可能である。また整流対象とする流体としては、空気、窒素、アルゴン、炭酸等の気体のみならず、水やアルコール等の液体であっても良い。
【００２２】
そしてこの整流器１２の前記整流器収納部への組み付けは、例えば図５(ａ)に示すようにその一面に複数の突起１７ａを備えた前記整流器１２と同径のリング状のスペーサ１７と、このスペーサ１７と同径のリング状のばね部材１８とを用いて行われる。具体的には図３に示すように大径の穴部をなす整流器収納部に整流器１２を同軸に嵌め込み、整流器１２の端部にばね部材１８とスペーサ１７とを順に介してその上から蓋体１５を被せ、この蓋体１５をブロック体１０の端部に固定することにより上記整流器１２の組み付けが行われる。
【００２３】
このような組み付けによりにより整流器１２は、ばね部材１８による弾性力を受けて前述した第１の流路１１ａの周壁端部に押し付けられて該第１の流路１１ａと一体な直線状の流路を形成して固定される。そして整流器１２の外周面と整流器収納部の内壁面との間には、該整流器１２と第１の流路１１ａとの連結部において該第１の流路１１ａとは隔離された空間Ａが形成される。またこのようにして整流器収納部に組み付けられた整流器１２の蓋体１５側に位置する他端側（流体流入口側）には、上記蓋体１５との間に前述したスペーサ１７が設けられており、このスペーサ１７が備える突起１７ａによって整流器１２の他端側（流体流入口側）と蓋体１５との間に所定の隙間が形成されている。この隙間を介して前記空間Ａが整流器１２の他端側（流体流入口側）に連通されている。この結果、流体導入口１６から導入された流体は、上述した整流器１２の外周の空間Ａから蓋体１５との間の隙間を介して該整流器１２の他端側（流体流入口側）に導かれ、整流器１２の内部を通って前述した流量センサ１２が組み込まれた第１の流路１１ａへと導かれるようになっている。
【００２４】
尚、上述したスペーサ１７とばね部材１８とに代えて、図５(ｂ)に示すような波板状のコイルばね１９を用いて整流器１２を整流器収納部に組み付けるようにしても良い。この波板状のコイルばね１９は、板厚方向に波打った所定の厚みのばね板を、その板幅方向に所定ターン数に亘って螺旋状に巻回した構造を有し、軸方向に圧縮されて撓んだ場合であっても、互いに重なり合うばね板間に隙間を形成する機能を備えたものである。このような波板状のコイルばね１９を用いれば、整流器１２の端部と蓋体１５との間に介在させるだけで整流器１２を第１の量路１１ａ側に押し付けると共に、蓋体１５との間に隙間を形成することができるので、整流器１２の組み付け作業の容易化と、組み付け部品点数の削減を図ることができる。
【００２５】
かくして上述した如く構成された流量制御装置によれば、整流器１２および流量センサ１３がそれぞれ組み付けられる直線状の流路に対して、その流体導入口１６を直角方向に設ける場合であっても、整流器１２の外周に形成された空間Ａを介して整流器１２に流体を導入することができるので、上記直線状の流路長を短くすることができる。換言すれば整流器１２の外周に形成された空間Ａを介して整流器１２に流体を導入するので、流体導入口１６を整流器１２の端部よりも内側に設けることができるので、整流器１２および流量センサ１３がそれぞれ組み付けられる直線状の流路長を短くすることができる。しかも蓋体１５としては整流器収納部の開口端部を閉塞する機能を備えるだけでよいので、その厚みを十分に薄くすることができ、従って蓋体１５を含むブロック体１０の上記直線状の流路方向の長さを十分に短くすることができる。この結果、流量制御装置の全体形状を効果的にコンパクト化することが可能となる。
【００２６】
また前述したように流量センサ１３と流量調整弁機構１４とを、ブロック体１０の異なる面に取り付けることにより上記流量センサ１３と流量調整弁機構１４と接近させて配置し、これによって前記ブロック体１５における上述した直線状の流路方向の長さを短くしているので、これと相俟って流量制御装置の全体形状を更にコンパクト化することができる等の実用上多大なる効果が奏せられる。
【００２７】
尚、本発明は上述した実施形態に限定されるものではない。例えばブロック体１０に流路を形成することに代えて、管体を用いて流路を形成しても良いことは言うまでもない。またダイヤフラム型の熱式流量センサに代えて、特開昭６−３４１８８０号公報に開示されるようなセンサ管方式の流量センサを用いることも可能である。この場合、整流器は整流機能よりも、むしろ差圧を発生される機能を担うことになる。即ち、図６に例示するように整流器１２の上流と下流とを繋ぐようにセンシング用の管路２０（流量センサ１３）を設け、整流器１２の上流と下流との間に生じる差圧により上記管路２０内を流体が通流するようにして、その流量を計測するようにすれば良い。
【００２８】
またここではスペーサ１７や波板状のコイルばね１９を用いて整流器１２の端部と蓋体１５との間に隙間を形成したが、筒状の整流器１５の端部に隙間を形成する切欠き等を設けておくことも有用である。また実施形態においては、筒状の整流器１２の外周壁を利用して該整流器１２の外周に空間Ａを形成したが、所定の穴部をなす整流器収納部の外側に該整流器収納部を囲むような円筒溝状の空間を形成しておくようにしても良い。要は整流器１２の外周に設けた所定の空間Ａを介して該整流器１２の周面方向から導入された流体を整流器１２の流体入口側に導くようにすれば良く、その形状・構造に付いては種々変形可能である。その他、本発明はその要旨を逸脱しない範囲で種々変形して実施することができる。
【図面の簡単な説明】
【００２９】
【図１】本発明の一実施形態に係る流量制御装置の要部概略構成を示す分解斜視図。
【図２】図１に示す流量制御装置の構造を説明するための断面図。
【図３】図１に示す流量制御装置における整流器の組み付け構造を示す図。
【図４】整流器の構造例を示す図。
【図５】整流器の組み付けに用いるスペーサ、ばね部材、および波板状のコイルばねをそれぞれ示す図。
【図６】本発明の別の実施形態に係る流量検出装置の概略構成図。
【符号の説明】
【００３０】
１０  ブロック体
１１  第１の流路
１２  整流器
１３  流量センサ
１４  流量制御弁機構
１５  蓋体
１６  流体導入口
１７  スペーサ
１８  ばね部材
１９  波板状のコイルばね
Ａ  空間
【図１】
2005024510.tif 000003
【図２】
2005024510.tif 000004
【図３】
2005024510.tif 000005
【図４】
2005024510.tif 000006
【図５】
2005024510.tif 000007
【図６】
2005024510.tif 000008